(57)【特許請求の範囲】
【請求項１】
建物の被固定面に取り付けられる取付部と、この取付部の前方に配設された軒樋支持部とを備え、この軒樋支持部の屋外側端部の上方に、軒樋の上方開口部をほぼ覆うカバー材がその上面を建物の屋根の延長線上にほぼ位置するように係止される２個の係止部が一体に設けられ、この係止部はほぼＵ字状の係止体であり、この係止体の下部に、カバー材がほぼ水平状態で係止される第一の係止爪が設けられ、この第一の係止爪よりも上方位置に、カバー材が屋外側に向かって下り勾配の状態で係止される第二の係止爪が設けられていることを特徴とする軒樋吊具。
【請求項２】
請求項１記載の軒樋吊具の取付部が建物の被固定面に取り付けられ、この取付部の前方に配設された軒樋支持部にて軒樋の耳部が支持され、この軒樋支持部の屋外側端部の上方に一体に設けられた２個の係止部のいずれか一つの係止部にて、軒樋の上方開口部をほぼ覆うカバー材が、その上面が建物の屋根の延長線上にほぼ位置するように、ほぼ水平状態または屋外側に向かって下り勾配の状態で係止されていることを特徴とする軒樋の取付構造。
【発明の詳細な説明】
【０００１】
【発明の属する技術分野】
本発明は、軒樋吊具およびこの軒樋吊具を用いた軒樋の取付構造に関する。
【０００２】
【従来の技術】
従来より建物の軒先に軒樋吊具にて軒樋が配設されている。そして、最近は軒樋の前側壁側に化粧カバーとしての機能を一体に付与した軒樋が使用されつつある（たとえば実公平５−４３１３９号公報や実公平６−１３９３１号公報などを参照）。
【０００３】
【発明が解決しようとする課題】
上記軒樋においては、屋根に降雪した雪が滑り落ちた場合、雪の積雪荷重が、軒樋の前側壁の上端に直接作用することになり、積雪荷重によって軒樋や軒樋継手が変形したり、あるいは破損を受けるという問題があった。
【０００４】
本発明の目的は、上記軒樋を軒先に取り付ける際に用いられ、積雪荷重による雪害を防止することができ、しかも、一種類の軒樋吊具で、いろいろな屋根勾配の住宅に対応することができる軒樋吊具および軒樋の取付構造を提供することである。
【０００５】
【課題を解決するための手段】
請求項１記載の発明は、建物の被固定面に取り付けられる取付部と、この取付部の前方に配設された軒樋支持部とを備え、この軒樋支持部の屋外側端部の上方に、軒樋の上方開口部をほぼ覆うカバー材がその上面を建物の屋根の延長線上にほぼ位置するように係止される２個の係止部が一体に設けられ、この係止部はほぼＵ字状の係止体であり、この係止体の下部に、カバー材がほぼ水平状態で係止される第一の係止爪が設けられ、この第一の係止爪よりも上方位置に、カバー材が屋外側に向かって下り勾配の状態で係止される第二の係止爪が設けられている軒樋吊具である。
【０００６】
請求項２記載の発明は、請求項１記載の軒樋吊具の取付部が建物の被固定面に取り付けられ、この取付部の前方に配設された軒樋支持部にて軒樋の耳部が支持され、この軒樋支持部の屋外側端部の上方に一体に設けられた２個の係止部のいずれか一つの係止部にて、軒樋の上方開口部をほぼ覆うカバー材が、その上面が建物の屋根の延長線上にほぼ位置するように、ほぼ水平状態または屋外側に向かって下り勾配の状態で係止されている軒樋の取付構造である。
【０００７】
本発明における軒樋吊具は、取付部と軒樋支持部とは一体でも別体でもよい。取付部と軒樋支持部は同一材料でも、異なった材料でもよい。軒樋吊具の材質は、硬質塩化ビニル樹脂、プロピレン樹脂、ポリカーボネート樹脂、ＡＥＳ樹脂などの合成樹脂、ＦＲＰなどが使用できる。また、ステンレスなどの金属材料であってもよい。
【０００８】
軒樋支持部の形状は適用される軒樋の形状に応じて決めればよく、また、両端部の樋耳支持部の形状も、同様に適用される軒樋の耳部の形状に応じて決めればよい。また、取付部の形状は、建物の被取付面である鼻隠し板などの表面形態に応じて決めればよい。
【０００９】
軒樋支持部の屋外側端部の上方に設けられている２個の係止部は、軒樋の上方開口部をほぼ覆うカバー材が着脱自在に係止されるものであり、たとえば係止部がほぼＵ字状の係止体であり、この係止体の下部に、カバー材がほぼ水平状態で係止される第一の係止爪を設け、この第一の係止爪よりも上方位置に、カバー材が屋外側に向かって下り勾配の状態で係止される第二の係止爪を設けたものが望ましい。
【００１０】
本発明におけるカバ−材とは、軒樋の上方開口部をほぼ覆うものであり、建物の屋根に落ちた枯れ葉が雨水ととともに軒樋内に流れ込むのを防止したり、あるいは、雪害による軒樋の前側壁の変形や破損を防止したり、また、軒先の外観を見栄えよくするものである。カバ−材の被係止部の形状は、上記軒樋吊具の軒樋支持部の屋外側端部の上方に設けられた複数の係止部の形状に対応させて決めればよい。カバ−材の形態は中空構造を有するものであっても、中実構造を有するものであってもよい。カバ−材の形状や寸法は、適用される軒樋の形状や寸法に応じて決めればよい。
【００１１】
（作用）
請求項１記載の発明の軒樋吊具では、軒樋支持部の屋外側端部の上方に、軒樋の上方開口部をほぼ覆うカバー材が係止される２個の係止部が一体に設けられているので、カバー材を係止させる係止部の位置を変更することによって、一種類の軒樋吊具でもって、各種屋根勾配の住宅に対応することができる。
【００１２】
また、第二の係止爪に、カバー材を屋外側に向かって下り勾配の状態で係止することで、傾斜勾配を有する屋根の軒先に適用でき、また、第二の係止爪を切断して除去することで、第一の係止爪に、カバー材をほぼ水平状態で係止することで、傾斜勾配を有しない陸屋根などの軒先に適用することができる。
【００１３】
請求項２記載の発明の軒樋の取付構造では、軒樋吊具の取付部が建物の被固定面に取り付けられ、この取付部の前方に配設された軒樋支持部にて軒樋の耳部が支持され、この軒樋支持部の屋外側端部の上方に一体に設けられた２個の係止部のいずれか一つの係止部にて、軒樋の上方開口部をほぼ覆うカバー材が、その上面が建物の屋根の延長線上にほぼ位置するように、ほぼ水平状態または屋外側に向かって下り勾配の状態で係止されているので、雨水とともに屋根から流れ落ちる落ち葉は、カバー材上を滑って軒樋の外方に自然落下することになり、軒樋内への流れ込みを阻止できる。
【００１４】
また、カバー材の上面が傾斜屋根の延長線上にほぼ位置しているので、屋根上に降雪した雪は、カバー材の上面をスムースに滑って軒樋の外方に落ちるので、雪害による軒樋の変形や破損を防止できる。さらに、一種類のカバー材で、屋根勾配の異なった住宅に対応することができ、効率的である。
【００１５】
【発明の実施の形態】
以下、本発明の実施の形態を図面に基づいて説明する。
図１〜図４は本発明の軒樋吊具の第１実施例を示すもので、図１は正面図、図２は平面図、図３は底面図、図４は右側面図である。
【００１６】
図において、１はポリカーボネート樹脂製の軒樋吊具であり、被固定面である鼻隠し板７（あるいは軒天８）にビスや釘にて取り付けられる板状の取付部２と、この取付部２の前方に一体に突設された軒樋支持部３とで構成されている。なお、取付部２は水平取付部２１と垂直取付部２２とからなる側面視Ｔ字状のものであり、垂直取付部２２は縦長の長方形状のものであり、水平取付部２１は横長の長方形状のものである。取付部２１には２個の取付孔２１１が穿孔されている（図２および図７を参照）。
【００１７】
軒樋支持部３の屋外側先端の上端には係止突起３１が立設され、また、先端部の下端には略台形状の係止突起３２が屋外側に向かって突設されている。係止突起３１は軒樋６の前耳６１１を支持する前耳支持部に対応するものであり、係止突起３２は軒樋６の前側壁６１の内方に設けられた中空リブ６１２の下方内面を支持するものである。
【００１８】
一方、軒樋支持部３の屋内側の下端部には、軒樋６の後側壁６２の上端に設けられた後耳６２１を支持する係止突起３３が設けられている。軒樋支持部３の主要部は、図５に示すように、断面形状がＩ字状とされている。また、取付部２の前面側には、図６に示すように、押圧突起２２１が設けられ、この押圧突起２２１が軒樋６の後耳６２１下方の外面を押圧するようにされている。
【００１９】
軒樋支持部３の前後方向のほぼ中央部は、図１に示すように、下方に略Ｖ字状に湾曲した凹部３４が設けられている。この凹部３４の屋外側端部の上面に、後述のカバー部材５の下側が着脱自在に係止される２個の係止部（係止体）４が一体に設けられている。係止部４は水平部４１と、この水平部４１より上方に立設された内側の立設片４２、４３と、外側の立設片４４、４５とから構成されている。
【００２０】
なお、立設片４５は内側の立設片４３の外面から上方に垂直に立設され、その上半分が屋外側に約１５度傾斜している。また、立設片４４は水平部４１の上面から屋内側に向かって円弧状に湾曲して立設されており、その先端は立設片４５の先端位置よりも少し下方に位置している。
【００２１】
内側の立設片４２、４３の先端には第一の係止爪４２３、４２３が内向きに設けられている。一方、外側の立設片４４、４５の先端にも第二の係止爪４４５、４４５が内向きに設けられている。第二の係止爪４４５が第一の係止爪４２３よりも上方に位置している。立設片４２〜４５の幅、第一の係止爪４２３および第二の係止爪４４５の幅はともに軒樋支持部３の上面幅とほぼ同一幅とされている。内側の立設片４２、４３間の間隔、外側の立設片４４、４５間の間隔はほぼ同一とされている。
【００２２】
つまり、外側の立設片４４、４５の先端に設けられた第二の係止爪４４５、４４５にて、屋外側に向かって下り勾配（約１５度）の状態でカバー材５を係止でき、また、外側の立設片４４、４５の根元部を切断することで、内側の立設片４２、４３の先端に設けられた第一の係止爪４２３、４２３にて、カバー材５をほぼ水平状態で係止できるようになっている。
【００２３】
つぎに、上記軒樋吊具１の使用態様を図８に基づいて説明する。
まず、軒樋吊具１の取付部２を建物の２階の鼻隠し板７の前面上方に所定の間隔をおいて配置し、水平取付部２１の取付孔２１１を利用して釘などの固着具（図示せず）にて、軒天８の下面に固定する。そして、軒樋６の内側に開口する溝形状に形成された前耳６１１を軒樋支持部３の係止突起３１に係止させ、軒樋６を屋内側に回動させて軒樋６の中空状に形成された後耳６２１を係止突起３３に係止させることにより、係止突起３２の先端にて前側壁６１の中空リブ６１２の下方内面が係止・支持され、軒樋支持具３にて軒樋６を取り付ける。
【００２４】
なお、後耳６２１を下から押し上げるようにして、係止突起３３と押圧突起２２１との間を通過させ、後耳６２１の下面を係止突起３３上に載置させる。この取付状態において、後耳６２１の前後方向の移動は押圧突起２２１により規制を受けるので、後耳６２１の外れに起因する軒樋６の抜け落ちは防止される。
【００２５】
５は硬質塩化ビニル樹脂製の長尺（約３．６ｍ）のカバ−材であり、断面逆Ｔ字形状の中空構造を有しており、その内部は上下内面を連結する垂直リブ５１により、長手方向に沿って２室に仕切られている。カバ−材５の上部両側には断面直角三角形状の被係止部５２、５２が外方に張り出して形成されている。カバー材５の下部幅は上記Ｕ字状の係止体の下部に形成された係止爪４４５間の間隔よりも幅広とされている。カバー材５の被係止部５２、５２を係止爪４４５、４４５間に押し込んで係止・固定する。そして、隣接するカバー材５、５同士の端部に跨がって接続部材９を装着し、カバー材５同士を接続することで軒樋吊具１へのカバー材５の取付け作業が完了する。接続部材９はカバー材５の外面形状に符合した内面形状を有し、その両側にはカバー材５の下部両側に係合する係止部（図示せず）を有している。
【００２６】
そして、雨が降って、屋根に乗っている落ち葉が雨水とともに軒樋６内に流れ込もうとすると、軒樋６の上方開口部は全長にわたってカバー材５にて覆われているので、雨水とともに屋根から流れ落ちる落ち葉は、カバー材５上を滑って軒樋６の外方に自然落下するか、あるいはカバー材５上にて止まり、軒樋６内への流れ込みを阻止される。また、カバー部材５の上面が傾斜屋根の延長線上にほぼ位置しているので、屋根上に降雪した雪は、カバー部材５の上をスムースに滑っていき、そのまま軒樋６の外方に落ちることになる。このため、雪害による軒樋６の変形や破損が生じない。
【００２７】
一方、陸屋根などの屋根勾配を有しない建物の軒先に軒樋６を配設する場合はつぎのようにする。
まず、軒樋吊具１の外側の立設片４４、４５の根元部を鋸で切断する。そして、上記と同様にして、軒樋吊具１の取付部２を建物の１階の鼻隠し板７の前面上方に所定の間隔をおいて配置し、水平取付部２１の取付孔２１１を利用して釘にて軒天８に取り付ける。そして、カバー材５の被係止部５２、５２を第一の係止爪４２３、４２３間に押し込んでほぼ水平状態で係止・固定し、隣接するカバー材５、５同士の端部を接続部材９にて接続することで取付け施工を完了する。
【００２８】
図１０は本発明の軒樋吊具の第２実施例を示すものであり、基本的には適用される軒樋の前側壁に対応させて、軒樋支持部の屋外側先端および取付部の構造を一部変更した以外は上記第１実施例とほぼ同一であるので、同一部分には同一符号を付して説明を省略する。
【００２９】
この場合も、上記第１実施例と同様に、カバー材５の被係止部５２を下方に押し込むだけで、カバー材５を簡単に係止できる。
【００３０】
図１１に示すように、カバー材５の上面が傾斜屋根の延長線上にほぼ位置しているので、屋根上に降雪した雪Ｓはカバー材５の上をスムースに滑っていき、そのまま軒樋６の外方に落ち、雪害による軒樋６の変形や破損が生じない。
【００３１】
また、外側の立設片４４、４５の根元部を鋸で切断することで、上記と同様に、陸屋根などの屋根勾配を有しない建物の軒先に配設した軒樋６に適用することができる（図１２を参照）。
【００３２】
上記第１および第２実施例では、外側の立設片４４、４５をそれぞれ別個に立設したが、図１３に示すように、内側の立設片４２の屋外側に立設した立設片４６Ａを片持ち状として、その先端から屋内側斜め上方に傾斜部４７を突設し、この傾斜部４１の両端から上方に第二の係止爪４４５、４４５を設けるようにしてもよい。なお、傾斜部４７の下面から下方に直角三角形状の補強リブ４７１が垂下されている。
【００３３】
このように、第二の係止爪４４５、４４５の方を片持ち状とすることで、第一の係止爪４２３、４２３を利用する際、立設片４６Ａの根元部を切断するだけでよい。
【００３４】
【発明の効果】
請求項１記載の発明の軒樋吊具においては、カバー材を係止させる係止部の位置を変更することで一種類の軒樋吊具でもって、各種屋根勾配の住宅に対応することができる。
【００３５】
また、第二の係止爪にカバー材を屋外側に向かって下り勾配の状態で係止することで、傾斜勾配を有する屋根の軒先に適用でき、また、第二の係止爪を切断して除去し、第一の係止爪にカバー材をほぼ水平状態で係止することで、傾斜勾配を有しない陸屋根などの軒先に適用することができる。
【００３６】
請求項２記載の発明の軒樋の取付構造では、軒樋支持部の屋外側端部の上方に一体に設けられた２個の係止部のいずれか一つの係止部にて、軒樋の上方開口部をほぼ覆うカバー材が係止されているので、雨水とともに屋根から流れ落ちる落ち葉は、カバー材上を滑って軒樋の外方に自然落下することになり、軒樋内への流れ込みを阻止できる。
【００３７】
また、カバー材の上面が傾斜屋根の延長線上にほぼ位置しているので、屋根上に降雪した雪が、カバー材の上面をスムースに滑って軒樋の外方に落ちるので、雪害による軒樋の変形や破損を防止できる。しかも、一種類のカバー材で、屋根勾配の異なった住宅に対応することができ、効率的である。
【図面の簡単な説明】
【図１】本発明の軒樋吊具の第１実施例を示す正面図である。
【図２】図１対応の平面図である。
【図３】図１対応の底面図である。
【図４】図１対応の右側面図である。
【図５】図１のＡ−Ａ切断断面図である。
【図６】図２のＢ−Ｂ切断断面図である。
【図７】図２のＣ−Ｃ切断断面図である。
【図８】図１の軒樋吊具の使用態様を示す説明図である。
【図９】図１の軒樋吊具の他の使用態様を示す説明図である。
【図１０】本発明の軒樋吊具の第２実施例を示す正面図である。
【図１１】図１０の軒樋吊具の使用態様を示す説明図である。
【図１２】図１０の軒樋吊具の他の使用態様を示す説明図である。
【図１３】本発明の軒樋吊具の変形例を示す要部斜視図である。
【符号の説明】
１  軒樋吊具
２  取付部
３  軒樋支持部
４  係止部
４２３  第一の係止爪
４４５  第二の係止爪
５  カバー材
６  軒樋
６１  前側壁
７  鼻隠し板（被固定面）
【図１】
0003626355.tif 000002
【図２】
0003626355.tif 000003
【図３】
0003626355.tif 000004
【図４】
0003626355.tif 000005
【図５】
0003626355.tif 000006
【図６】
0003626355.tif 000007
【図７】
0003626355.tif 000008
【図８】
0003626355.tif 000009
【図９】
0003626355.tif 000010
【図１０】
0003626355.tif 000011
【図１１】
0003626355.tif 000012
【図１２】
0003626355.tif 000013
【図１３】
0003626355.tif 000014